(57)【特許請求の範囲】
【請求項１】
バン型車両における屋根板を囲み直交する一対の上部レールと、これら一対の上部レールとさらに垂直に直交する隅柱との交叉する部位を覆うコーナーカバーにおいて、前記屋根板側から前記コーナーカバーの隅角部に向かって下り勾配であって、底面が前記コーナーカバーの頂面より低く形成された排水路を設け、前記屋根板上から前記排水路を経て前記隅角部まで流れた水が、前記隅柱の外側面を伝って流下することを特徴とするバン型車両における屋根隅部用コーナーカバーの構造。
【請求項２】
バン型車両における屋根板を囲み直交する一対の上部レールと、これら一対の上部レールとさらに垂直に直交する隅柱との交叉する部位を覆うコーナーカバーにおいて、前記屋根板側から前記コーナーカバーの隅角部に向かって下り勾配であって、底面がコーナーカバーの頂面より低く形成された排水路を設け、前記排水路の終端部に堰を設け、前記排水路を前記コーナーカバー内に一体に形成した断面三角形状の縦方向ドレインに連通させ、前記縦方向ドレインを前記隅柱内に一体に形成した断面三角形状のドレインパイプを嵌入し、前記ドレインパイプを通して車両下部に排水可能にしたことを特徴とするバン型車両における屋根隅部用コーナーカバーの構造。
【発明の詳細な説明】
【技術分野】
【０００１】
本発明はバン型車両における屋根の４隅部の構造に関し、特に、バン型車両の隅柱の頂部と、バン型車両の上部レールとが交叉する屋根隅部を覆うコーナーカバーの構造に関するものである。
【背景技術】
【０００２】
図７は公知バン型車両の屋根隅部を斜め上方からみた図である。１は屋根板、２と３は側壁、４は直交する側壁２と３間に立設されたアルミ型材製の隅柱、５と６は屋根板１と側壁板２または３間に取付けられたアルミ型材製上部レールである。
【０００３】
７は隅柱４と上部レール５及び６とが交叉する隅部に取付けられたアルミ鋳物製あるいは合成樹脂成形品よりなるコーナーカバーである。隅柱４の両側部は上部レール５と６にそれぞれ固着されている。隅柱４と上部レール５と６が固着され、その上にコーナーカバー７がかぶせられリベット１１等で固着される。
【０００４】
以上のべた隅柱、上部レールはアルミ型材製であり、厚みを有しているので屋根板１を上部レール５，６あるいはコーナーカバー７にリベット等で固着したとき、屋根板１の上面よりその厚み分突出し、段差が存在している。
【０００５】
さて、このような構成であると、図８に示すように、雨が降ると屋根板１とこれを囲む上部レール５と６で囲まれた部分に水が溜り、これが自然に乾くまで屋根板１上に溜る。この雨水のため最悪の場合には、屋根のシール機能が切れ、雨水が庫内に漏れ、積荷を汚損する事故につながっていた。
【０００６】
また屋根板１上に溜った水がさらに多くなると、図８の如くコーナーカバー７の両側部から溢れ、側壁２又は３を伝って流下し、広告あるいは社名等のある大事な側壁部分が汚染される不具合を生じていた。
【発明の開示】
【発明が解決しようとする課題】
【０００７】
このような問題に対処すべく、コーナーカバー７の部分に排水路を予め設けておき、屋根上に溜った雨水をこの排水路から隅柱の外側面から、あるいは隅柱内を通って外に排出し、バン型車両の側壁の汚染防止を図ること、そして屋根板との接合部のシールが不十分な場合でも、庫内への漏水を防止することができるコーナーカバーを提供することを目的とする。
【課題を解決するための手段】
【０００８】
バン型車両における屋根板を囲み直交する一対の上部レールと、これら一対の上部レールとさらに垂直に直交する隅柱との交叉する部位を覆うコーナーカバーにおいて、前記屋根板側から前記コーナーカバーの隅角部に向かって下り勾配であって、底面が前記コーナーカバーの頂面より低く形成された排水路を設け、前記屋根板上から前記排水路を経て前記隅角部まで流れた水が、前記隅柱の外側面を伝って流下するように構成し、雨水が溜まらないようにした。
また、直交する一対の上部レールと、これら一対の上部レールとさらに垂直に直交する隅柱との交叉する部位を覆うコーナーカバーにおいて、屋根板側からコーナーカバーの隅角部に向かって下り勾配であって、底面がコーナーカバーの頂面より低く形成された排水路を設け、前記排水路の終端部に堰を設けて前記排水路を、コーナーカバー内に一体に形成した縦方向ドレインに連通させ雨水が前記縦方向ドレインから隅柱内を流下するようにした。
そして、前記縦方向ドレインの下部に隅柱内に設けたドレインパイプを接続して車両下部に流れ易くした。
また、バン型車両における屋根板を囲み直交する一対の上部レールと、これら一対の上部レールとさらに垂直に直交する隅柱との交叉する部位を覆うコーナーカバーにおいて、前記屋根板側から前記コーナーカバーの隅角部に向かって下り勾配であって、底面がコーナーカバーの頂面より低く形成された排水路を設け、前記排水路の終端部に堰を設け、前記排水路を前記コーナーカバー内に一体に形成した断面三角形状の縦方向ドレインに連通させ、前記縦方向ドレインを前記隅柱内に一体に形成した断面三角形状のドレインパイプを嵌入し、前記ドレインパイプを通して車両下部に排水可能にした。
【発明の効果】
【０００９】
コーナーカバーに屋根板上に降った雨水の流れる排水路を設け、この排水路から隅柱の外面を通って流れ出るようにしたので、雨後に屋根上に水が溜ることがなくなった。
また、水が溜まらず排水路を通って即座に流出するので、たとえ屋根板と上部レールあるいはコーナーカバーとの接続部のシールが老化し不完全になっても、庫内への漏水を防ぐことができる。
【００１０】
さらに請求項２に示すように、排水路の端部に堰を設け、前記排水路を、コーナーカバー内に一体に形成した縦方向ドレインに連通させた。或いはまた、請求項４に示すように前記排水路をコーナーカバー内に一体に形成した断面三角形状の縦方向ドレインに連通させ、さらに縦方向ドレインの下部を隅柱内に一体に形成した断面三角形状のドレインパイプに嵌入したので、雨水はこの隅柱内から車両下部に流出するので、車両側面への流出を防ぎ、車両側面を清潔に保つことができる。従って、車両側面に設けた広告面等を長時間美しく保持することができる。
【００１１】
また、雨天時に車両の屋根板上に水が溜りづらくなったため、発進及び停止時に、溜まった水が落下飛散して、車両の周辺に撒き散らすことがなくなった。
【発明を実施するための最良の形態】
【００１２】
（実施形態１）
図１は本発明の一実施形態を示す斜視図である。図１で８はたとえばアルミ鋳物製のコーナーカバー７の上面に設けた排水路である。この排水路８の底面は、コーナーカバー７の頂面９より低いのは当然であるが、屋根板１の上面に対しなるべく段差を少くして、屋根板１上の雨水が排水路８に流れ込み易くしている。即ちコーナーカバー７と屋根板１との接続部の厚みを出来得る限り薄くし、雨水が流れ易くしている。
【００１３】
前記排水路８に屋根板１上の雨水を呼び込み易くする為、屋根板１側から排水路８に向って逆八字型（Ｙ字型）に誘導路１０が形成されている。
【００１４】
さらに前記排水路８は屋根板１から、排水路８の先端部に向って緩い勾配を付し、排水路８に向った雨水を外に向って流れ易くしている。
【００１５】
かくして、屋根板１上に雨が降っても、屋根板１上に溜ることなく、排水路８を経て、図２の符号１２に示すように雨水は隅柱４上を伝って流下する。
【００１６】
大量の雨が振ったときは符号１３のように一部上部レール４又は５上を溢れて流れるが、これも隅柱４の近傍のみにとどまり、側壁側に広く溢れ、側壁２又は３を汚すようなことがない。
【００１７】
（実施形態２）
図３は図１で説明した実施形態１における排水路８の隅部よりに水抜穴１４を有する例である。
【００１８】
図３に示すように隅柱４の両側縁４ａに上部レール５と６がリベット等で取りつけられている。そして上部レール５と６が交叉する部位に縦方向空間１５が形成されている。
【００１９】
この例におけるコーナーカバー７’の上部に形成されている排水路８の端部は堰８ａ（図３・ａ）が設けられている。この為図１の例のごとく隅柱４の外側に沿って雨水は流れない。
前記排水路８は、コーナーカバー７’内に一体に形成された縦方向ドレイン１６（図４）と連通している。
そして図の場合には縦方向ドレイン１６の下部に隅柱４内に通したドレインパイプ１７に接続している。従って、前記排水路８に流入した雨水は、堰８’で行止りの為、穴１４から縦方向ドレイン１６に落下し、ドレンパイプ１７から車両下部に流れ落ちるよう構成されている。
【００２０】
この構成であるから、雨水は車両の側壁部への溢流することはほとんどなくなり、従ってこの溢流による側壁面の汚れはほとんどなく、美しい壁面を保持することができる。
【００２１】
（実施形態３）
図５はもう一つの実施形態である。この例においても、隅柱４の上部両側縁４ａに上部レール５と６がリベット等で固着されている点は同様である。そして上部レール５と６の端が交叉する部位に図３の実施形態２と同様に断面三角形状の縦方向空間１５が形成されている。
【００２２】
この例におけるコーナーカバー７''はその内側に一体に断面三角形状の縦方向ドレイン１９が形成されている。そしてこの縦方向ドレイン１９に対し、隅柱４には、前記縦方向空間１５内に丁度嵌る断面三角形状の縦方向ドレインパイプ１８が形成されている。そして、前記コーナーカバー７''と一体に形成されたドレイン１９を縦方向ドレインパイプ１８に上から嵌入すると、前記排水路８は縦方向ドレイン１９を介し、縦方向ドレインパイプ１８と連通し、雨水は隅柱４内を通り、車両の下部に排水される。
【００２３】
この構成であるから、雨水は排水路８に流入し、コーナーカバー７''の断面三角形状の縦方向ドレイン１９（図６（ｂ））内に落ち、さらに隅柱４の前記排水路１８に流出し、車両下部に落下する。
【００２４】
従って、雨水は通常の雨量では上部レール５又は６を溢流することはなく、側壁部を汚すことがない。
【図面の簡単な説明】
【００２５】
【図１】本発明の実施形態１の斜視図である。
【図２】図１における排水状態の説明図である。
【図３】本発明の実施形態その２の説明図で、（ａ）はコーナーカバーの平面図、（ｂ）はコーナーカバーを除いた状態の上面図。
【図４】（ａ）は図３・（ａ）のＡ−Ａ断面図、（ｂ）は縦方向ドレインの下部にドレインパイプを挿入した状態を示す。
【図５】本発明の実施形態その３の説明図で、（ａ）はコーナーカバーの平面図、（ｂ）はコーナーカバーを除いた状態の上面図である。
【図６】（ａ）は図５（ｂ）のＡ−Ａ断面図、（ｂ）はコーナーカバーのみの縦断面図である。
【図７】公知コーナーカバーの斜視図である。
【図８】図７における排水態様を示す説明図である。
【符号の説明】
【００２６】
１  屋根板                      2,3  側壁
４  隅柱                        5,6  上部レール
7,7',7''  コーナーカバー
８  （コーナーカバー上に設けた）排水路
8'  堰                          ９  （コーナーカバーの）頂面
10  （排水路入口の）誘導路      11  リベット
12,13  雨水                     14  穴
15  縦方向空間                  16  縦方向ドレイン
17  ドレインパイプ              18  縦方向ドレインパイプ
19  縦方向ドレイン
【図１】
0004698164.tif 000002
【図２】
0004698164.tif 000003
【図３】
0004698164.tif 000004
【図４】
0004698164.tif 000005
【図５】
0004698164.tif 000006
【図６】
0004698164.tif 000007
【図７】
0004698164.tif 000008
【図８】
0004698164.tif 000009